(57)【要約】【課題】バックボードを加工することなく取付け及び取外しが可能であり、尚且つ、発光部と発光部とを接続する電気配線を目立たなくするとともに、簡単に電気接続できる構成のバスケットボールのゴールのバックボード発光装置を提供する。【解決手段】バスケットボールのゴールのバックボード発光装置１は、第１バー１０を第１溝９１に連結し、第２バー２０と第３バー３０とを第２溝９２に連結し、第４バー４０及び第５バー５０を各々連結して、フレーム１０〜５０が各々電気接続された状態で、所定形状の発光装置が構成されるとともに外部機器から受電可能な電気回路が構成される。【選択図】図１
2019088719.tif 000002
【特許請求の範囲】
【請求項１】
バックボードの背面の上側に形成された第１溝と連結固定可能な位置に第１係止部が配設され、第１コネクタが一端側に配設され、第７コネクタが他端側に配設され、且つ前記第１コネクタと前記第７コネクタとに電気接続された第１発光部が配設される第１バーと、
前記バックボードの背面の下側に形成された第２溝と連結固定可能な位置に第２係止部が配設され、第３コネクタが一端側に配設され、且つ前記第３コネクタと電気接続された第２発光部が配設される第２バーと、
前記第２溝と連結固定可能な位置に第３係止部が配設され、第５コネクタが一端側に配設され、且つ前記第５コネクタと電気接続された第３発光部が配設される第３バーと、
前記第１コネクタと接続可能な一端側の位置に第２コネクタが配設され、前記第３コネクタと接続可能な他端側の位置に第４コネクタが配設され、且つ前記第２コネクタと前記第４コネクタとに電気接続された第４発光部が配設される第４バーと、
前記第７コネクタと接続可能な一端側の位置に第８コネクタが配設され、前記第５コネクタと接続可能な他端側の位置に第６コネクタが配設され、且つ前記第８コネクタと前記第６コネクタとに電気接続された第５発光部が配設される第５バーと、外部機器と接続する第９コネクタと、を備え、
前記第１バーが前記第１溝に連結固定されるとともに前記第２バーおよび前記第３バーが前記第２溝に連結固定されて、且つ、前記第１コネクタと前記第２コネクタ、前記第３コネクタと前記第４コネクタ、前記第５コネクタと前記第６コネクタ、及び前記第７コネクタと前記第８コネクタが各々接続された状態で、所定形状の発光装置が構成されるとともに前記外部機器から受電可能な電気回路が構成されること
を特徴とするバスケットボールのゴールのバックボード発光装置。
【請求項２】
前記第１バーは、前記第１溝に嵌合可能な一端側の位置に第１凸部が配設され、前記第１溝に嵌合可能な他端側の位置に第４凸部が配設されており、
前記第２バーは、前記第２溝に嵌合可能な一端側の位置に第２凸部が配設されており、
前記第３バーは、前記第２溝に嵌合可能な一端側の位置に第３凸部が配設されていること
を特徴とする請求項１記載のバスケットボールのゴールのバックボード発光装置。
【請求項３】
前記第１溝と前記第２溝とはいずれもＴ溝であり、
前記第１係止部、前記第２係止部、及び前記第３係止部は、いずれも、ツマミネジと、前記ツマミネジに連結された菱形ナットとを有すること
を特徴とする請求項１または２記載のバスケットボールのゴールのバックボード発光装置。
【請求項４】
前記第１バーと前記第４バーとの連結部、前記第４バーと前記第２バーとの連結部、前記第３バーと前記第５バーとの連結部、及び前記第５バーと前記第１バーとの連結部には、相互連結する留金具が各々配設されていること
を特徴とする請求項１〜３のいずれか一項記載のバスケットボールのゴールのバックボード発光装置。
【請求項５】
前記第９コネクタは、前記第２バーまたは前記第３バーに配設されているとともに、
前記第１コネクタ、前記第３コネクタ、前記第５コネクタ、及び前記第７コネクタは、各々雄型で各々のバーに内蔵されており、且つ、前記第２コネクタ、前記第４コネクタ、前記第６コネクタ、及び前記第８コネクタは、各々雌型で各々のバーから突出して配設されていること
を特徴とする請求項１〜４のいずれか一項記載のバスケットボールのゴールのバックボード発光装置。
【請求項６】
バックボードの背面の上側に形成された第１溝と連結固定可能な位置に第１係止部が配設され、且つ第１発光部が配設される第１バーと、前記バックボードの背面の下側に形成された第２溝と連結固定可能な位置に第２係止部が配設され、且つ第２発光部が配設される第２バーと、前記第２溝と連結固定可能な位置に第３係止部が配設され、且つ第３発光部が配設される第３バーと、前記第１バーと前記第２バーとに接続可能な構成で、且つ第４発光部が配設される第４バーと、前記第１バーと前記第３バーとに接続可能な構成で、且つ第５発光部が配設される第５バーと、外部機器と接続する第９コネクタとを備えたバスケットボールのゴールのバックボード発光装置を用いて、
前記第１バーを前記第１溝に連結固定するとともに前記第２バーと前記第３バーとを前記第２溝に連結固定し、且つ、前記第４バーを前記第１バーと前記第２バーとに接続するとともに前記第５バーを前記第１バーと前記第３バーとに接続して、所定形状の発光装置を構成するとともに前記外部機器から受電可能な電気回路を構成すること
を特徴とするバスケットボールのゴールのバックボード発光装置の組立方法。
【発明の詳細な説明】
【技術分野】
【０００１】
本発明は、バスケットボールのゴールのバックボード発光装置及びその組立方法に関する。
【背景技術】
【０００２】
日本バスケットボール協会は国際バスケットボール連盟（略称ＦＩＢＡ）に加盟しており、国際試合若しくは国際試合に準ずる試合については、ＦＩＢＡが規定した国際ルールが適用される。
【０００３】
従来、バックボードの背面周囲に適宜分割可能に発光部が設けられ施工される構造のバックボード発光装置が知られている（特許文献１：特開２００６−１０２１９４号公報）。また、バックボードの背面周囲に取り付けて、各ピリオド終了時に赤く点灯させる構造のＬＥＤライトが、いわゆるピリオドランプとして販売されている（非特許文献１：「Senoh Basketball Product Guide」インターネット＜ＵＲＬ：http://www.senoh.jp/catarog/img/pdf/catalog-eng02.pdf＞）。
【先行技術文献】
【特許文献】
【０００４】
【特許文献１】特開２００６−１０２１９４号公報
【非特許文献】
【０００５】
【非特許文献１】「Senoh Basketball Product Guide」インターネット＜ＵＲＬ：http://www.senoh.jp/catarog/img/pdf/catalog-eng02.pdf＞
【発明の概要】
【発明が解決しようとする課題】
【０００６】
特許文献１と非特許文献１に例示されるような従来のバックボード発光装置は、バックボードの背面にボルト固定や接着固定等の加工を施して取り付ける構造となっており、所定の工事期間と施工費用を要する。また、施工後はバックボード発光装置をバックボードから取り外すことができないため、施設毎にバックボード発光装置を設置しなければならないという問題がある。特に、バックボードの背面周囲に適宜分割可能に発光部が設けられ施工される構造のバックボード発光装置の場合、多数の発光部と給電部とを接続する電気配線が外部から見えないように接続しなければならず、発光部が分割されることで装置内部の電気接続が複雑になるという問題がある。その結果、組立工数が増えてしまい、施工費用が増大する。
【０００７】
発明者は、バックボード背面側の枠内の構造を鋭意研究し、当該バックボードの背面の上側及び下側にＴ溝が形成されており、バックボードの設置後は使用されていないことに着目した。そして、発明者はバックボードの背面の上側及び下側に既設の溝をバックボード発光装置の係止具として利用することを発案した。
【課題を解決するための手段】
【０００８】
本発明は、上記事情に鑑みてなされ、フレームを複数のバーに分割し、バックボードの背面の上側及び下側に既設の溝を係止具として利用することで、バックボードを加工することなく取付け及び取外しが可能であり、尚且つ、発光部と発光部とを接続する電気配線を目立たなくするとともに、簡単に電気接続できる構成のバスケットボールのゴールのバックボード発光装置を提供することを目的とする。
【０００９】
一実施形態として、以下に開示するような解決手段により、前記課題を解決する。
【００１０】
本発明に係るバスケットボールのゴールのバックボード発光装置は、バックボードの背面の上側に形成された第１溝と連結固定可能な位置に第１係止部が配設され、第１コネクタが一端側に配設され、第７コネクタが他端側に配設され、且つ前記第１コネクタと前記第７コネクタとに電気接続された第１発光部が配設される第１バーと、前記バックボードの背面の下側に形成された第２溝と連結固定可能な位置に第２係止部が配設され、第３コネクタが一端側に配設され、且つ前記第３コネクタと電気接続された第２発光部が配設される第２バーと、前記第２溝と連結固定可能な位置に第３係止部が配設され、第５コネクタが一端側に配設され、且つ前記第５コネクタと電気接続された第３発光部が配設される第３バーと、前記第１コネクタと接続可能な一端側の位置に第２コネクタが配設され、前記第３コネクタと接続可能な他端側の位置に第４コネクタが配設され、且つ前記第２コネクタと前記第４コネクタとに電気接続された第４発光部が配設される第４バーと、前記第７コネクタと接続可能な一端側の位置に第８コネクタが配設され、前記第５コネクタと接続可能な他端側の位置に第６コネクタが配設され、且つ前記第８コネクタと前記第６コネクタとに電気接続された第５発光部が配設される第５バーと、外部機器と接続する第９コネクタと、を備え、前記第１バーが前記第１溝に連結固定されるとともに前記第２バーおよび前記第３バーが前記第２溝に連結固定されて、且つ、前記第１コネクタと前記第２コネクタ、前記第３コネクタと前記第４コネクタ、前記第５コネクタと前記第６コネクタ、及び前記第７コネクタと前記第８コネクタが各々接続された状態で、所定形状の発光装置が構成されるとともに前記外部機器から受電可能な電気回路が構成されることを特徴とする。
【００１１】
本発明に係るバスケットボールのゴールのバックボード発光装置の組立方法は、バックボードの背面の上側に形成された第１溝と連結固定可能な位置に第１係止部が配設され、且つ第１発光部が配設される第１バーと、前記バックボードの背面の下側に形成された第２溝と連結固定可能な位置に第２係止部が配設され、且つ第２発光部が配設される第２バーと、前記第２溝と連結固定可能な位置に第３係止部が配設され、且つ第３発光部が配設される第３バーと、前記第１バーと前記第２バーとに接続可能な構成で、且つ第４発光部が配設される第４バーと、前記第１バーと前記第３バーとに接続可能な構成で、且つ第５発光部が配設される第５バーと、外部機器と接続する第９コネクタとを備えたバスケットボールのゴールのバックボード発光装置を用いて、前記第１バーを前記第１溝に連結固定するとともに前記第２バーと前記第３バーとを前記第２溝に連結固定し、且つ、前記第４バーを前記第１バーと前記第２バーとに接続するとともに前記第５バーを前記第１バーと前記第３バーとに接続して、所定形状の発光装置を構成するとともに前記外部機器から受電可能な電気回路を構成することを特徴とする。
【００１２】
この構成によれば、バックボードの背面の上側に形成された第１溝に第１バーを脱着可能に連結固定し、前記前記バックボードの背面の下側に形成された第２溝に第２バーと第３バーとを脱着可能に連結固定し、且つ、第１コネクタＡ１と第２コネクタＡ２、第３コネクタＢ１と第４コネクタＢ２、第５コネクタＣ１と第６コネクタＣ２、及び第７コネクタＤ１と第８コネクタＤ２とを各々接続した状態で、所定形状の発光装置を構成するとともに、第１発光部と第２発光部と第３発光部と第４発光部とを、外部機器から受電可能な状態とすることができる。
【００１３】
前記所定形状の発光装置は、国際バスケットボール連盟（略称ＦＩＢＡ）が規定した国際ルールに従った形状で発光する装置である。
【発明の効果】
【００１４】
本発明によれば、バックボードを加工することなく取付け及び取外しが可能であり、尚且つ、発光部と発光部とを接続する電気配線を目立たなくするとともに、簡単に電気接続できる構成のバスケットボールのゴールのバックボード発光装置が実現する。
【図面の簡単な説明】
【００１５】
【図１】本発明の実施形態に係るバスケットボールのゴールのバックボード発光装置の例を背面側から見た概略の斜視図であり、使用態様を示す図である。
【図２】本実施形態のバスケットボールのゴールのバックボード発光装置を連結する前段階の状態を示す概略の構造図である。
【図３】図２における第１係止部を示す部分拡大図であり、（ａ）は概略の斜視図であり、（ｂ）は（ａ）の菱形ナットを下面から見た概略の断面図であり、（ｃ）は（ｂ）の菱形ナットを側面から見た概略の断面図である。
【図４】図２における連結部を示す部分拡大図であり、（ａ）は連結前の状態を示す概略の斜視図であり、（ｂ）は連結後の状態を示す概略の斜視図である。
【図５】本実施形態のバスケットボールのゴールのバックボード発光装置の概略の電気回路図である。
【発明を実施するための形態】
【００１６】
以下、図面を参照して、本発明の実施形態について詳しく説明する。ここでは、国際バスケットボール連盟（略称ＦＩＢＡ）が規定した国際ルールが適用可能な、バックボード９０及び発光装置１について以下に説明する。図１は、本実施形態のバスケットボールのゴールのバックボード発光装置１（以下、単に発光装置１と記す）を、バスケットボールのゴールのバックボード９０（以下、単にバックボード９０と記す）に組み付けた実施態様であり、本実施形態の発光装置１の例をバックボード９０の背面側から見た概略の斜視図である。なお、実施形態を説明するための全図において、同一の機能を有する部材には同一の符号を付し、その繰り返しの説明は省略する場合がある。
【００１７】
ここで、発光装置１の各部の位置関係を説明し易くするため、図中に上、下、前、後、右、左の矢印で向きを示している。ここで、前と後、及び、左と右は相対的な位置関係を示している。
【００１８】
バックボード９０は、ガラス、アクリル、ポリカーボネート等の透光性と強度とを兼ね備えた材質からなる。バックボード９０は、前面にゴールリングが設けられて、外周側面に枠体が設けられており、一例として、バスケット台の支柱に固定される。
【００１９】
発光装置１は、照明フレームであり、バックボード９０の背面の上側に形成された第１溝９１、及び、バックボード９０の背面の下側に形成された第２溝９２に嵌合されて連結固定される。
【００２０】
発光装置１は、断面が概略四角形状で棒状の５つのバー、すなわち第１バー１０、第２バー２０、第３バー３０、第４バー４０、及び、第５バー５０が連結されて構成される。図２の例では、第９コネクタＥ１が第３バー３０に配設されており、発光装置１への給電は、第９コネクタＥ１を外部機器８０と接続して行われる。第９コネクタＥ１は、給電用コネクタである。第９コネクタＥ１が第３バー３０又は第２バー２０に配設されていることで、外部機器８０との配線長さを短くすることができて、バスケット台の支柱等に沿って配線することが容易となるので、配線を目立たなくすることができる。なお、上記の構成に限られず、第９コネクタＥ１を、第１バー１０、第４バー４０、又は、第５バー５０に配設する場合がある。
【００２１】
図２は本実施形態の発光装置１を連結する前段階の状態を示す概略の構造図である。第１バー１０、第２バー２０、第３バー３０、第４バー４０、及び、第５バー５０の配置構成について、図２の記載に基づいて以下に説明する。
【００２２】
第１バー１０は、第１コネクタＡ１が一端側（左側）に配設されるとともにバックボード９０の背面の上側に形成された第１溝９１に嵌合可能な一端側（左側）の上側位置に第１凸部１１が配設される。また、第１バー１０は、第７コネクタＤ１が他端側（右側）に配設されるとともに第１溝９１に嵌合可能な他端側（右側）の上側位置に第４凸部１４が配設され、第１溝９１に連結固定可能な中央側位置に第１係止部１５が配設され、菱形ナット５２が上側位置に配設される。そして、第１バー１０は、第１コネクタＡ１と第７コネクタＤ１とに電気接続された第１発光部１７が配設される。第１発光部１７は線状光源となっており、ＬＥＤからなる。ここでは、第１発光部１７は、上段部１７ａが赤色ＬＥＤであり、下段部１７ｂが黄色ＬＥＤである。
【００２３】
第２バー２０は、第３コネクタＢ１が一端側（左側）に配設されるとともにバックボード９０の背面の下側に形成された第２溝９２に嵌合可能な一端側（左側）の下側位置に第２凸部２２が配設される。また、第２バー２０は、第２溝９２に連結固定可能な他端側（右側）の位置に第２係止部２５が配設され、菱形ナット５２が下側位置に配設される。そして、第２バー２０は、第３コネクタＢ１と電気接続された第２発光部２７が配設される。第２発光部２７は線状光源となっており、赤色ＬＥＤからなる。
【００２４】
第３バー３０は、第５コネクタＣ１が一端側（右側）に配設されるとともに第２溝９２に嵌合可能な一端側（右側）の下側位置に第３凸部３３が配設される。また、第３バー３０は、第２溝９２に連結固定可能な他端側（左側）の位置に第３係止部３５が配設され、菱形ナット５２が下側位置に配設される。そして、第３バー３０は、第５コネクタＣ１と電気接続された第３発光部３７が配設される。第３発光部３７は線状光源となっており、赤色ＬＥＤからなる。
【００２５】
第４バー４０は、第１コネクタＡ１と接続可能な一端側（上側）の位置に第２コネクタＡ２が配設される。また、第４バー４０は、第３コネクタＢ１と接続可能な他端側（下側）の位置に第４コネクタＢ２が配設される。そして、第４バー４０は、第２コネクタＡ２と第４コネクタＢ２とに電気接続された第４発光部４７が配設される。第４発光部４７は線状光源となっており、赤色ＬＥＤからなる。
【００２６】
第５バー５０は、第７コネクタＤ１と接続可能な一端側（上側）の位置に第８コネクタＤ２が配設される。また、第５バー５０は、第５コネクタＣ１と接続可能な他端側（下側）の位置に第６コネクタＣ２が配設される。そして、第５バー５０は、第８コネクタＤ２と第６コネクタＣ２とに電気接続された第５発光部５７が配設される。第５発光部５７は線状光源となっており、赤色ＬＥＤからなる。
【００２７】
本実施形態によれば、２０１７年６月付けでＦＩＢＡが規定した国際ルールに適用可能な構成となる（インターネット＜ＵＲＬ：http://www.fiba.basketball/OBR2017/yellowblue/Final.pdf＞を参照）。
【００２８】
図３（ａ）は、図２における一点鎖線で丸く囲んだエリアＰ１内の第１係止部１５及び近傍を示す部分拡大図であり、概略の斜視図である。図３（ｂ）は、図３（ａ）のｈ１−ｈ１線断面図であり、菱形ナット５２を下面から見た概略の断面図である。図３（ｃ）は、図３（ｂ）のｈ２−ｈ２線断面図であり、菱形ナット５２を側面から見た概略の断面図である。
【００２９】
図３（ｃ）に示すように、第１溝９１はＴ溝である。第２溝９２は、第１溝９１と同一構造で向かい合う配置構成となっている。図３（ｃ）の例では、断面が四角形状となっているが、この例に限られず、断面が楕円形状の場合があり、その他既知のＴ溝が本実施形態の適用対象となる。
【００３０】
本実施形態では、第１係止部１５は、ツマミネジ５１と、ツマミネジ５１のネジの先端側に連結された菱形ナット５２とを有する。第２係止部２５及び第３係止部３５は、第１係止部１５と同一構造で向かい合う配置構成となっている。
【００３１】
図３（ａ）と図３（ｂ）に示すように、ツマミネジ５１を矢印Ｆ１方向に６０[度]から１２０[度]の範囲内で時計回りに回すと、菱形ナット５２が第１溝９１の内側側壁に係止され第１バー１０が第１溝９１に連結固定される。一方、矢印Ｆ１方向と逆方向に６０[度]から１２０[度]の範囲内で時計回りに回すことで、第１バー１０と第１溝９１との連結固定が解除される。第２係止部２５と第３係止部３５とについても同様である。なお、矢印Ｆ１と逆方向に回して係止して連結固定し、矢印Ｆ１方向に回して連結固定を解除してもよい。
【００３２】
図４（ａ）は、図２における一点鎖線で丸く囲んだエリアＰ２内の連結部を示す部分拡大図であり、概略の斜視図である。図４（ａ）は連結前の状態を示す概略の斜視図であり、図４（ｂ）は連結後の状態を示す概略の斜視図である。
【００３３】
図４（ａ）と図４（ｂ）に示すように、第１バー１０の一端側は、ボックス形状のカバー１９が配設されている。カバー１９は下方に延設されており、他端側が開口部となっているとともに第１コネクタＡ１が内蔵されている。第１バー１０の上端は背面側に延設された天板部１８ａが配設されている。そして、第１凸部１１が天板部１８ａの上面に配設されているとともに、天板部１８ａの下面にブロック状のガイド部７１が配設されている。ガイド部７１と第１バー１０の背面１８とにはギャップＧ１がある。ガイド部７１と第１凸部１１とは、天板部１８ａを挟んで向かい合って連結固定されている。ガイド部７１の天板部１８ａとの接地面のサイズは、第１凸部１１の天板部１８ａとの接地面のサイズよりも大きく設定される。これによって、第１バー１０を第１溝９１に連結固定する際に、第１バー１０が捻じれることを防止できる。
【００３４】
第１バー１０は、前面側が乳白色若しくは半透明で透光性の樹脂材からなり、上面側、側面側、下面側及び背面側がアルミニウムやステンレス等の硬質金属材からなる。カバー１９は、アルミニウムやステンレス等の硬質金属材からなる。上記以外の各バーにおいても同様である。
【００３５】
第４バー４０の一端側は第２コネクタＡ２が露出して配設されており、第２コネクタＡ２よりも上側の端部は板状のスライド部４８となっている。これにより、第１バー１０の背面１８に沿って第４バー４０をスライドさせることができる。スライド部４８の板厚Ｔ１は、ギャップＧ１よりも０．２[ｍｍ]〜０．５[ｍｍ]程度小さく設定される。これによって、第４バー４０を第１バー１０に連結固定する際に、第４バー４０が捻じれることを防止できる。
【００３６】
本実施形態では、第１コネクタＡ１、第３コネクタＢ１、第５コネクタＣ１、及び第７コネクタＤ１は、各々雄型で各々のバーに内蔵されており、且つ、第２コネクタＡ２、第４コネクタＢ２、第６コネクタＣ２、及び第８コネクタＤ２は、各々雌型で各々のバーから突出して配設されている。この構成によれば、各コネクタのプラグイン接続が容易にできるうえ、各雄型は各々のバーに内蔵されているので、電極端子が保護される。これらコネクタは、一例として、段付きビスで各々のバーに取り付けられており、フローティング構造となっている。この構成によれば、コネクタ雄型とコネクタ雌型との取付け位置が寸法公差内で互いの位置がずれている場合や、各バーの接続位置が１[ｍｍ]以内で互いの位置がずれている場合においても、接続の際、コネクタ雄型とコネクタ雌型とが互いに合体する位置に近づく作用が生じるので、接続時の当接によるストレスを軽減しながら容易に相互接続ができ、確実に合体して電気接続できる。よって、各コネクタのプラグイン接続が容易にできるうえ、断線や接触不良が防止できる。さらに、コネクタの破損を防止できる。
【００３７】
一例として、第１コネクタＡ１、第３コネクタＢ１、第５コネクタＣ１、及び第７コネクタＤ１は、角型パネルコネクタであり、また、第２コネクタＡ２、第４コネクタＢ２、第６コネクタＣ２、及び第８コネクタＤ２は、角型多極ラックコネクタである。なお、この構成に限られず、プラグイン接続可能な構成であれば、既知のコネクタが適用できる。
【００３８】
本明細書で、プラグイン接続とは、各々のバーに取り付けられたコネクタに触れることなく、コネクタ接続することを指している。
【００３９】
本実施形態では、第１バー１０と第４バー４０との連結部、第４バー４０と第２バー２０との連結部、第３バー３０と第５バー５０との連結部、及び第５バー５０と第１バー１０との連結部には、相互連結する留金具６０が各々配設されている。留金具６０は、係止具６１と受け具６２とが組み合わさって構成される。一例として、第４バー４０のスライド部４８の背面には、係止具６１が配設されており、且つ、第１バー１０のカバー１９の背面には、受け具６２が配設されている。この構成によれば、第４バー４０の第２コネクタＡ２を第１バー１０の第１コネクタＡ１にプラグイン接続し、留金具６０を閉める簡単な動作で第４バー４０と第１バー１０とを相互連結することができ、連結固定状態も強固なものとなる。上記以外の各バーの連結においても同様である。図４（ａ）と図４（ｂ）に示す例では、留金具６０は、Ｔ型ファスナーであり、パッチン錠や、アームキャッチとも称される。なお、この構成に限られず、相互連結可能な構成であれば、既知の留金具が適用できる。
【００４０】
図５は、フレーム形状の発光装置１が構成された状態における概略の電気回路図の一例である。本実施形態では、コントローラ等の外部機器８０と第９コネクタＥ１とを電気接続することで、外部機器８０から受電可能な電気回路が構成される。一例として、外部機器８０からは、ＬＥＤ１７ａ，１７ｂ、２７，３７，４７，５７に対して給電を行うことで、ＦＩＢＡが規定した国際ルールの最新版に適用可能である。例えば、バスケットボールゲームにおける各ピリオドの終了時、すなわちゲームクロックが０秒となった時、ＬＥＤ１７ａ，２７，３７，４７，５７が赤色で点灯する。また、ショットクロックが０秒となった時、ＬＥＤ１７ｂが黄色で点灯する。
【００４１】
本明細書で、フレーム形状の発光装置とは、各々のバーを連結することで、横長の四角形状でバスケットゴールに対応する箇所が空間となった枠体の発光装置を指しており、国際バスケットボール連盟（略称ＦＩＢＡ）が規定した国際ルールに従った形状で発光する装置を指している。
【００４２】
本実施形態によれば、第１凸部１１及び第４凸部１４を第１溝９１に嵌合させて、ツマミネジ５１を所定範囲で回す簡単な動作で、第１バー１０と第１溝９１とを連結固定することができる。同様に、第２バー２０及び第３バー３０と第２溝９２とを連結固定することができる。そして、第４バー４０を第１バー１０と第２バー２０とにプラグイン接続するとともに、第５バー５０を第１バー１０と第３バー３０とにプラグイン接続して、フレーム形状の発光装置１を構成するとともに外部機器８０から受電可能な電気回路を構成することができる。つまり、本実施形態は、第１バー１０が第１溝９１に連結固定されるとともに第２バー２０及び第３バー３０が第２溝９２に連結固定されて、且つ、第１コネクタＡ１と第２コネクタＡ２、第３コネクタＢ１と第４コネクタＢ２、第５コネクタＣ１と第６コネクタＣ２、及び第７コネクタＤ１と第８コネクタＤ２が各々プラグイン接続された状態で、フレーム形状の発光装置１が構成されるとともに外部機器８０から受電可能な電気回路が構成される。
【００４３】
本実施形態によれば、既設のバックボード９０に加工を施すことなく、ドライバー等の工具を使用せずに、取付け及び取外しが簡単にできるうえ、発光部と発光部とを接続する電気配線を目立たなくするとともに、簡単に電気接続できる構成のバスケットボールのゴールのバックボード発光装置１となる。したがって、例えば地方都市等の施設において、国際試合若しくは国際試合に準ずる試合が開催される都度、発光装置１をバックボード９０に取付けて使用することができる。また、上記国際試合がない場合は、発光装置１をバックボード９０から取外して保管することができ、他の施設に取付けて使用することができる。したがって、国際試合若しくは国際試合に準ずる試合が開催される都度、発光装置１を施設にレンタルすることができるので、施設側の負担が大幅に軽減される。
【００４４】
本発明は、以上説明した実施例に限定されることなく、本発明を逸脱しない範囲において種々変更が可能である。例えば、上述の実施形態では、第１バー１０は一体構造であるとして説明したが、第１バーを複数分割して組み合わせる構成とする場合がある。また、１つの第１係止部１５を配設する例を説明したが、第１係止部１５を複数配設する場合がある。また例えば、ＦＩＢＡが規定した国際ルールが今後改正された場合に、その改正内容に従って、発光装置１のＬＥＤの発色や発色位置のレイアウト変更が可能である。本発明に係る発光装置１は、レイアウト変更が容易にできる構成となっている。
【符号の説明】
【００４５】
１  発光装置（バスケットボールのゴールのバックボード発光装置）
１０  第１バー
１１  第１凸部
１４  第４凸部
１５  第１係止部
１７  第１発光部
２０  第２バー
２２  第２凸部
２５  第２係止部
２７  第２発光部
３０  第３バー
３３  第３凸部
３５  第３係止部
３７  第３発光部
４０  第４バー
４７  第４発光部
５０  第５バー
５１  ツマミネジ
５２  菱形ナット
５７  第５発光部
６０  留金具
８０  外部機器（コントローラ）
９０  バックボード（バスケットボールのゴールのバックボード）
９１  第１溝
９２  第２溝
Ａ１  第１コネクタ（コネクタ雄型）
Ａ２  第２コネクタ（コネクタ雌型）
Ｂ１  第３コネクタ（コネクタ雄型）
Ｂ２  第４コネクタ（コネクタ雌型）
Ｃ１  第５コネクタ（コネクタ雄型）
Ｃ２  第６コネクタ（コネクタ雌型）
Ｄ１  第７コネクタ（コネクタ雄型）
Ｄ２  第８コネクタ（コネクタ雌型）
Ｅ１  第９コネクタ（コネクタ雌型）
【図１】
2019088719.tif 000003
【図２】
2019088719.tif 000004
【図３】
2019088719.tif 000005
【図４】
2019088719.tif 000006
【図５】
2019088719.tif 000007